【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
複数の設定値のうちいずれかの設定値に設定可能な設定手段と、
設定された設定値にもとづいて遊技者にとっての有利度が異なるように遊技を進行可能な遊技制御手段と、
電力供給の開始に伴い前記設定手段による設定値の変更を許可する変更許可状態に制御可能な設定制御手段と、
少なくとも前記変更許可状態に制御させるための動作を検出可能な設定用検出手段と、
遊技機の初期化に関する動作を検出可能な初期化用検出手段と、
電力供給の開始に伴い前記設定用検出手段または前記初期化用検出手段により動作が検出された場合、初期化処理を実行可能な初期化実行手段と、
前記初期化実行手段により前記初期化処理が実行されたことに基づいて、所定期間に亘って初期化報知を実行可能な初期化報知手段と、
前記遊技制御手段からの情報に基づいて演出の実行を制御する演出制御手段と、
遊技媒体が所定領域に進入することにもとづいて遊技価値を付与する遊技価値付与手段と、
前記遊技価値付与手段によって付与される遊技価値に関する情報を表示可能な情報表示手段と、
を備え、
前記演出制御手段は、前記変更許可状態であるときに、該変更許可状態の終了を通知する通知情報とは異なる情報にもとづく制御を制限する制限手段を有し、
前記情報表示手段は、前記設定手段にて設定されている設定値を表示可能であり、
前記初期化報知手段は、
電力供給の開始に伴い前記設定用検出手段により動作が検出されず前記初期化用検出手段により動作が検出された場合に、該電力供給の開始とともに初期化報知を実行し、
電力供給の開始に伴い前記設定用検出手段及び前記初期化用検出手段により動作が検出された場合に、該電力供給の開始とともに初期化報知を実行しない、
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定に変更可能な遊技機として、例えば特許文献１に記載されているものがある。また、ＲＡＭに保存されている内容をクリアするためのクリアスイッチが設けられたものとして、例えば特許文献２に記載されているものがある。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２００５−３４２３５４号公報
【手続補正４】
【補正対象書類名】明細書
【補正対象項目名】０００４
【補正方法】変更
【補正の内容】
【０００４】
しかしながら、特許文献１や特許文献２に記載の技術では、ＲＡＭに保存されている内容をクリアする契機が複数ある場合について、考慮されていなかった。
【手続補正５】
【補正対象書類名】明細書
【補正対象項目名】０００５
【補正方法】変更
【補正の内容】
【０００５】
この発明は、上記の実状に鑑みてなされたものであり、ＲＡＭに保存されている内容をクリアする契機が複数ある場合であっても、好適に遊技機を制御できる遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技を行い、遊技者にとって有利な有利状態に制御可能な遊技機であって、
複数の設定値のうちいずれかの設定値に設定可能な設定手段と、
設定された設定値にもとづいて遊技者にとっての有利度が異なるように遊技を進行可能な遊技制御手段と、
電力供給の開始に伴い前記設定手段による設定値の変更を許可する変更許可状態に制御可能な設定制御手段と、
少なくとも前記変更許可状態に制御させるための動作を検出可能な設定用検出手段と、
遊技機の初期化に関する動作を検出可能な初期化用検出手段と、
電力供給の開始に伴い前記設定用検出手段または前記初期化用検出手段により動作が検出された場合、初期化処理を実行可能な初期化実行手段と、
前記初期化実行手段により前記初期化処理が実行されたことに基づいて、所定期間に亘って初期化報知を実行可能な初期化報知手段と、
前記遊技制御手段からの情報に基づいて演出の実行を制御する演出制御手段と、
遊技媒体が所定領域に進入することにもとづいて遊技価値を付与する遊技価値付与手段と、
前記遊技価値付与手段によって付与される遊技価値に関する情報を表示可能な情報表示手段と、
を備え、
前記演出制御手段は、前記変更許可状態であるときに、該変更許可状態の終了を通知する通知情報とは異なる情報にもとづく制御を制限する制限手段を有し、
前記情報表示手段は、前記設定手段にて設定されている設定値を表示可能であり、
前記初期化報知手段は、
電力供給の開始に伴い前記設定用検出手段により動作が検出されず前記初期化用検出手段により動作が検出された場合に、該電力供給の開始とともに初期化報知を実行し、
電力供給の開始に伴い前記設定用検出手段及び前記初期化用検出手段により動作が検出された場合に、該電力供給の開始とともに初期化報知を実行しない、
ことを特徴とする。
（１）また、他の遊技機として、
遊技を行い、遊技者にとって有利な有利状態（例えば大当り遊技状態など）に制御可能な遊技機（例えばパチンコ遊技機１など）であって、
複数の設定値のうちいずれかの設定値（例えば設定値１〜３のいずれかなど）に設定可能な設定手段（例えばステップＳａ１３の設定変更処理を実行するＣＰＵ１０３など）と、
設定された設定値にもとづいて遊技者にとっての有利度が異なるように遊技を進行可能な遊技制御手段（例えばステップＳ２５の特別図柄プロセス処理を実行するＣＰＵ１０３など）と、
電力供給の開始に伴い前記設定手段による設定値の変更を許可する変更許可状態に制御可能な設定制御手段（例えばステップＳａ６、Ｓａ１２を実行するＣＰＵ１０３など）と、
少なくとも前記変更許可状態に制御させるための動作を検出可能な設定用検出手段（例えば錠スイッチ５１など）と、
遊技機の初期化に関する動作を検出可能な初期化用検出手段（例えばクリアスイッチＡＫ００１など）と、
電力供給の開始に伴い前記設定用検出手段または前記初期化用検出手段により動作が検出された場合、初期化処理を実行可能な初期化実行手段（例えばステップＳａ９等でＲＡＭクリア処理を実行するＣＰＵ１０３など）と、
前記初期化実行手段により前記初期化処理が実行されたことに基づいて、所定期間に亘って初期化報知を実行可能な初期化報知手段（例えばステップ７６ＡＫＳ０１２の電源投入時コマンド処理を実行する演出制御用ＣＰＵ１２０など）と、
前記遊技制御手段からの情報に基づいて演出の実行を制御する演出制御手段（例えばＡＫＳ０１５のコマンド解析処理を実行する演出制御用ＣＰＵ１２０など）と、
前記演出制御手段は、前記変更許可状態であるときに、該変更許可状態の終了を通知する通知情報とは異なる情報にもとづく制御を制限する制限手段（例えばＡＫＳ０２７を実行する演出制御用ＣＰＵ１２０など）と、を備え、
前記初期化報知手段は、
電力供給の開始に伴い前記設定用検出手段により動作が検出されず前記初期化用検出手段により動作が検出された場合に、該電力供給の開始とともに初期化報知を実行し（例えばステップ７６ＡＫＳ０２１にてＹｅｓと判定された場合にはステップ７６ＡＫＳ０３１の処理を実行し）、
電力供給の開始に伴い前記設定用検出手段及び前記初期化用検出手段により動作が検出された場合に、該電力供給の開始とともに初期化報知を実行しない（例えばステップ７６ＡＫＳ０２３にてＹｅｓと判定された場合には設定変更が終了するまで初期化報知を実行しない）、
ことを特徴としてもよい。
このような構成によれば、初期化処理を実行するための契機が複数ある場合でも好適に遊技機を制御できる。
【手続補正７】
【補正対象書類名】明細書
【補正対象項目名】０００７
【補正方法】変更
【補正の内容】
【０００７】
（２）本願発明に係る他の遊技機は、
遊技を行い、遊技者にとって有利な有利状態（例えば大当り遊技状態など）に制御可能な遊技機（例えばパチンコ遊技機１など）であって、
複数の設定値のうちいずれかの設定値（例えば設定値１〜３のいずれかなど）に設定可能な設定手段（例えばステップＳａ１３の設定変更処理を実行するＣＰＵ１０３など）と、
設定された設定値にもとづいて遊技者にとっての有利度合いが異なるように遊技を進行可能な遊技制御手段（例えばステップＳ２５の特別図柄プロセス処理を実行するＣＰＵ１０３など）と、
電力供給の開始に伴い前記設定手段による設定値の変更を許可する変更許可状態に制御可能な設定制御手段（例えばステップＳａ６、Ｓａ１２を実行するＣＰＵ１０３など）と、
設定に関する動作を検出可能な設定用検出手段（例えば錠スイッチ５１など）と、
遊技機の初期化に関する動作を検出可能な初期化用検出手段（例えばクリアスイッチＡＫ００１など）と、
電力供給の開始に伴い前記設定用検出手段または前記初期化用検出手段により動作が検出された場合、初期化処理を実行する初期化実行手段（例えばステップＳａ９等でＲＡＭクリア処理を実行するＣＰＵ１０３など）と、
電力供給の開始に伴い前記初期化用検出手段により動作が検出された場合に、所定期間に亘って初期化報知を実行可能な初期化報知手段（例えばステップ７６ＡＫＳ０１２の電源投入時コマンド処理を実行する演出制御用ＣＰＵ１２０など）と、を備え、
電力供給の開始に伴い前記設定用検出手段及び前記初期化用検出手段により動作が検出された場合に、該電力供給の開始とともに初期化報知を実行し、初期化報知の終了後に前記変更許可状態に制御する（例えばステップ７６ＡＫＳ０２３にてＹｅｓと判定された場合にはステップ７６ＡＫＳ０５２、７６ＡＫＳ０５３の処理を実行する）、
ことを特徴とする。
このような構成によれば、初期化処理を実行するための契機が複数ある場合でも好適に遊技機を制御できる。
【手続補正８】
【補正対象書類名】明細書
【補正対象項目名】０００８
【補正方法】変更
【補正の内容】
【０００８】
（３）本願発明に係る他の遊技機は、
遊技を行い、遊技者にとって有利な有利状態（例えば大当り遊技状態など）に制御可能な遊技機（例えばパチンコ遊技機１など）であって、
複数の設定値のうちいずれかの設定値（例えば設定値１〜３のいずれかなど）に設定可能な設定手段（例えばステップＳａ１３の設定変更処理を実行するＣＰＵ１０３など）と、
設定された設定値にもとづいて遊技者にとっての有利度合いが異なるように遊技を進行可能な遊技制御手段（例えばステップＳ２５の特別図柄プロセス処理を実行するＣＰＵ１０３など）と、
電力供給の開始に伴い前記設定手段による設定値の変更を許可する変更許可状態に制御可能な設定制御手段（例えばステップＳａ６、Ｓａ１２を実行するＣＰＵ１０３など）と、
設定に関する動作を検出可能な設定用検出手段（例えば錠スイッチ５１など）と、
遊技機の初期化に関する動作を検出可能な初期化用検出手段（例えばクリアスイッチＡＫ００１など）と、
電力供給の開始に伴い前記設定用検出手段または前記初期化用検出手段により動作が検出された場合、初期化処理を実行する初期化実行手段（例えばステップＳａ９等でＲＡＭクリア処理を実行するＣＰＵ１０３など）と、
電力供給の開始に伴い前記初期化用検出手段により動作が検出された場合に、所定期間に亘って初期化報知を実行可能な初期化報知手段（例えばステップ７６ＡＫＳ０１２の電源投入時コマンド処理を実行する演出制御用ＣＰＵ１２０など）と、を備え、
電力供給の開始に伴い前記設定用検出手段及び前記初期化用検出手段により動作が検出された場合に、該電力供給の開始とともに初期化報知を実行するともに前記変更許可状態に制御する（例えばステップ７６ＡＫＳ０２３にてＹｅｓと判定された場合にはステップ７６ＡＫＳ０５２、７６ＡＫＳ０２５の処理を実行する）、
ことを特徴とする遊技機であってもよい。
このような構成によれば、初期化処理を実行するための契機が複数ある場合でも好適に遊技機を制御できる。
【手続補正９】
【補正対象書類名】明細書
【補正対象項目名】０００９
【補正方法】変更
【補正の内容】
【０００９】
（４）上記（１）の遊技機において、
前記設定制御手段は、電力供給の開始に伴い前記設定用検出手段により動作が検出された場合に、前記変更許可状態に制御し（例えばステップ７６ＡＫＳ０２３にてＹｅｓと判定された場合にはステップ７６ＡＫＳ０２５の処理を実行し）、
前記初期化報知手段は、前記変更許可状態が終了した後、前記所定期間に亘って初期化報知を実行する（例えばステップ７６ＡＫＳ０２６にてＹｅｓと判定された場合にはステップ７６ＡＫＳ０３０の処理を実行する）、
ようにしてもよい。
このような構成によれば、初期化処理を実行するための契機が複数ある場合でも好適に遊技機を制御できる。
【手続補正１０】
【補正対象書類名】明細書
【補正対象項目名】００１０
【補正方法】変更
【補正の内容】
【００１０】
（５）上記（１）から（３）のいずれかの遊技機において、
前記初期化報知手段は、電力供給の開始に伴い前記設定用検出手段及び前記初期化用検出手段により動作が検出された場合に、該動作が検出されなくなってから前記所定期間よりも短い期間に亘って初期化報知を実行する（例えばステップ７６ＡＫＳ０３０においてステップ７６ＡＫＳ０３１よりも短時間初期化報知を実行する）、
ようにしてもよい。
このような構成によれば、設定変更後の初期化報知を好適に実行できる。
【手続補正１１】
【補正対象書類名】明細書
【補正対象項目名】００１１
【補正方法】変更
【補正の内容】
【００１１】
（６）上記（１）から（５）のいずれかの遊技機において、
遊技者による遊技中の動作とは異なり、遊技機の初期化に関する動作を検出可能な初期化用検出手段（例えばクリアスイッチＡＫ００１など）を備え、
前記変更許可状態であるときに、前記設定手段による設定値を、前記初期化用検出手段による動作の検出に応じて変更可能である（例えば設定切替スイッチ５２に代えてクリアスイッチＡＫ００１を用いる場合など）、
ようにしてもよい。
このような構成においては、設定値を変更するための構成を別個に設けることなく、設定値の変更作業に支障が生じることを防止できる。
【手続補正１２】
【補正対象書類名】明細書
【補正対象項目名】００１２
【補正方法】変更
【補正の内容】
【００１２】
（７）上記（３）の遊技機において、
設定値の変更に関する報知を初期化報知よりも優先して実行する（例えばステップ７６ＡＫＳ０２６にてＹｅｓと判定された場合にはステップ７６ＡＫＳ０５４の処理を実行する）、
ようにしてもよい。
このような構成によれば、初期化報知中であっても、設定値を変更したことを好適に報知できる。
【手続補正１３】
【補正対象書類名】明細書
【補正対象項目名】００１３
【補正方法】削除
【補正の内容】